(57)【要約】【課題】棟木を架設したままでも棟木受け体の高さ調整することができ、棟木の架設作業を容易に行うことのできる棟木支持具を提供する。【解決手段】棟木Ｍを支持固定する棟木支持具Ａであって、前記棟木Ｍを支持する棟木受け体１と、先端にネジ部２２を設けたネジ体２とよりなり、前記ネジ体２の基端と前記棟木受け体１を、回動自在に連結したことを特徴とする。【選択図】図１
2009084971.tif 000002
【特許請求の範囲】
【請求項１】
棟木を支持固定する棟木支持具であって、前記棟木を支持する棟木受け体と、先端にネジ部を設けたネジ体とよりなり、
前記ネジ体の基端と前記棟木受け体を、回動自在に連結したことを特徴とする棟木支持具。
【請求項２】
請求項１において、
ネジ体の適所には、該ネジ体を回動するための把持部を形成している棟木支持具。
【発明の詳細な説明】
【技術分野】
【０００１】
本発明は、棟を構築するための棟木を支持固定する棟木支持具に関する。
【背景技術】
【０００２】
従来の棟木支持具は、棟木を支持する断面凹状に形成された棟木受け体と、該棟木受け体の基板中央に基端を固着し、先端にネジ部を設けたネジ体とより構成してなる。
【０００３】
この棟木支持具は、棟に設置された梁等に、前記ネジ体のネジ部をネジ込むと共に、基端（上端）の棟木受け体の高さ及び方向を調整しながら固定し、更に、前記梁の長手方向に向けて適宜間隔をあけて、複数の前記棟木支持具を同一線状に向けて固定する。
【０００４】
そして、これら複数の棟木支持具の棟木受け体に棟木を架設し、前記棟木受け体の側方から釘等を棟木に打ち込んで、該棟木を棟木受け体に順次固定する。
【０００５】
最後に、固定した棟木の上方に棟瓦を被せたうえで、該棟瓦の上方から釘等を棟木に打ち込んで、前記棟瓦を固定し、棟を構築するのである（例えば、特許文献１参照。）。
【特許文献１】特開２００１−３４２７１２号
【発明の開示】
【発明が解決しようとする課題】
【０００６】
しかしながら、従来の棟木支持具には、以下の問題があった。
【０００７】
すなわち、梁の長手方向に固定された複数の棟木支持具の棟木受け体に、棟木を架設する際、例えば、任意の棟木受け体の高さ又は方向が不適切であるため、該棟木受け体の高さ又は方向を調整したい場合がある。
【０００８】
ところが、前記棟木受け体に棟木を架設した状態では、前記調整作業ができないため、一般には、架設された前記棟木を一旦取り外した後、前記棟木受け体の高さ又は方向の調整を行い、再度、取り外した前記棟木を架設していた。
【０００９】
そのため、棟木の架設作業に時間や手間を要し、棟木の架設作業が困難であるという問題があった。
【００１０】
本発明は、かかる課題を解決することを目的とするもので、棟木を架設したままでも棟木受け体の高さを調整することができ、棟木の架設作業を容易に行うことのできる棟木支持具を提供する。
【課題を解決するための手段】
【００１１】
上記目的を達成するため、
請求項１に係る棟木支持具は、棟木を支持固定する棟木支持具であって、前記棟木を支持する棟木受け体と、先端にネジ部を設けたネジ体とよりなり、前記ネジ体の基端と前記棟木受け体を、回動自在に連結したことを特徴とする。
【００１２】
請求項２に係る棟木支持具は、請求項１において、ネジ体の適所には、該ネジ体を回動するための把持部を形成している。
【発明の効果】
【００１３】
本発明によれば、次のような効果がある。
請求項１に係る棟木支持具によれば、棟木を支持する棟木受け体と、ネジ体の基端を回動自在に連結しているため、前記ネジ体を棟に設置された梁等にネジ込んで固定する際、前記棟木受け体が共周りすることがなく、該棟木受け体の方向を確実に維持しながら前記ネジ体を前記梁等に固定できる。
【００１４】
又、梁等に固定した複数の棟木支持具の棟木受け体に、棟木を架設する際、任意の棟木受け体の高さ又は方向が不適切であっても、前記棟木を架設したままで、該棟木受け体のネジ体だけを回転操作すれば、任意の棟木受け体だけをネジ込んで、容易に高さ調整できる。
【００１５】
そのため、架設された棟木を一々取り外して棟木受け体の高さ調整を行う必要がなく、棟木の架設作業を素早く且つ簡単に行うことができる。
【００１６】
請求項２に係る棟木支持具によれば、ネジ体の適所に、該ネジ体を回動するための把持部を形成しているので、棟木を架設したままでも、前記ネジ体の把持部をスパナ等の工具で容易に回動することができ、棟木受け体の高さ調整を更に簡単に行うことができる。
【発明を実施するための最良の形態】
【００１７】
以下、本発明に係る棟木支持具を図面とともに説明する。
【実施例１】
【００１８】
図１は、本発明に係る棟木支持具Ａの一実施例を示す使用状態図であり、図２は、図１で示した棟木支持具Ａの拡大断面図である。
【００１９】
この棟木支持具Ａは、棟木Ｍを支持固定するものであって、棟木Ｍを支持する棟木受け体１と、先端にネジ部２２を設けたネジ体２とよりなり、該ネジ体２の基端と棟木受け体１を、回動自在に連結したことを特徴にしている。
【００２０】
具体的には、棟木受け体１は、角状の棟木Ｍを下方から支持するために、基板１１の両側端から各々上方に向けて側板１２を立設させた断面凹状に形成してなり、本実施例では、１枚の金属板を折り曲げ加工して形成したものを示している。
【００２１】
又、基板１１の中央には、ネジ体２の頭部２１を埋設する程度の凹部１３を形成すると共に、この凹部１３の中央にネジ体２を貫通可能な取付孔１４を開設している。
【００２２】
又、側板１２には、釘、ネジ等を打ち込んで、棟木受け体１と棟木Ｍを固定するための固定孔１２ａを複数開設している。
【００２３】
ネジ体２は、梁等に固定可能なネジ部２２を下端に設けた長尺の棒状であって、このネジ体２の基端側には、該ネジ体２を回動するための把持部２３を形成している。
【００２４】
この把持部２３としては、種々のものが考えられ、例えば、スパナ、モンキー等の工具でネジ体２を回動可能なように多角形状に形成したもの、又は、手指でネジ体２を回動可能なようにハンドル部（不図示）をネジ体２に突設したものでも良く、要は、ネジ体２を手指或いは工具等で容易に回動できるものであれば採用できる。
【００２５】
このように形成したネジ体２の基端を、基板１の凹部１３に下方から貫通したうえで、ネジ体２の基端を打設してカシメ止め、ネジ体２の頭部２１を凹部１３に埋設した状態で形成されると共に、ネジ体２の基端と棟木受け体１の基板１１を、回動自在に連結している。
【００２６】
又、ネジ部２２の頭部２１表面に、ドライバー等の工具を差込み可能なプラス又はマイナスの溝部を形成することも可能であり、このような溝部を形成すれば、ドライバー等の工具でもネジ体２を容易に回動してネジ込みを行うことができ、例えば、ネジ体２の側方から工具を操作し難い場合に有効である。
【００２７】
このようにして構成した本発明の棟木支持具Ａは、棟に設置された梁等に、棟木受け体の方向を手で維持しながら、ネジ体２だけを回動させて、該ネジ体２を棟に設置された梁等にネジ込んで固定し、更に、同じ要領で、前記梁の長手方向に向けて適宜間隔をあけて、複数の棟木支持具Ａを同一線状に向けて固定する。
【００２８】
この作業時、棟木支持具Ａを支えるために棟木受け体１を手で持って、ネジ体２を梁にネジ込む為、棟木受け体１の基板１１を回動自在に連結しているので、作業性が良い。
【００２９】
そして、この固定した複数の棟木支持具Ａの棟木受け体１に棟木Ｍを架設する。
【００３０】
このとき、架設した棟木Ｍが、複数の棟木支持具Ａによって水平に支持される必要があるが、棟木支持具Ａの高さが同一に固定されていない場合がある。
【００３１】
その場合には、棟木Ｍを架設したままで、任意の棟木受け体１のネジ体２だけを回転操作してネジ込めば、この任意の棟木受け体Ａの高さだけを容易に調整できる。
【００３２】
このようにして、棟木Ｍを架設したままで、任意の棟木支持具Ａの高さだけを調整することで、架設した棟木Ｍを簡単且つ確実に水平に支持することができる。
【００３３】
そして、棟木Ｍを水平に支持した後、棟木受け体１の側方から、側板１２の固定孔１２ａに釘、ネジ等を打ち込んで、棟木Ｍと棟木受け体１を固定し、棟木Ｍを複数の棟木支持具Ａで確実に固定支持する。
【００３４】
最後に、固定した棟木Ｍの上方に棟瓦を被せたうえで、該棟瓦の上方から釘等を棟木に打ち込んで、前記棟瓦を固定し、棟を構築するのである。
【００３５】
以上の通り、本発明の棟木支持具Ａによれば、棟木Ｍを支持する棟木受け体１と、ネジ体２の基端を回動自在に連結しているため、ネジ体２と棟木受け体１が共周りすることがなく、該棟木受け体１の方向を確実に維持しながらネジ体２を前記梁等に作業効率良く固定できる。
【００３６】
又、梁等に固定した複数の棟木支持具Ａの棟木受け体１に、棟木Ｍを架設する際、任意の棟木受け体１の高さ又は方向が不適切であっても、棟木Ｍを架設したままで、任意の棟木受け体１のネジ体２だけを回転操作すれば、任意の棟木受け体１だけを容易に高さ調整できる。
【００３７】
そのため、架設された棟木Ｍを一々取り外して棟木受け体１の高さ調整を行う必要がなく、棟木Ｍの架設作業を素早く且つ簡単に行うことができる。
【００３８】
又、ネジ体２の適所には、該ネジ体２を回動するための把持部２３を形成しているので、棟木Ｍを架設したままでも、この把持部２３をスパナ等の工具で容易に回動することができ、棟木受け体１の高さ調整を更に簡単に行うことができるのである。
【実施例２】
【００３９】
図３（ａ）、（ｂ）は、本発明に係る棟木支持具Ａの他の実施例を示す要部の部分斜視図である。
【００４０】
ここで、図１及び図２と共通する部位には、同一の符号を付して、重複する説明は省略し、以下では、各実施例の特徴についてのみ説明する。
【００４１】
図３（ａ）で示す棟木支持具Ａは、棟木受け体１の基板１１の取付孔１４を貫通可能であって、上端側にネジ部２４ａを形成すると共に、基端側には、基板１１の厚さよりも長い軸部２４ｂを形成したボルト体２４をネジ体２の上端に突設し、更に、このボルト体２４のネジ部２４ａに螺合するナット２４ｃを設けてなる。
【００４２】
そして、ネジ体２のボルト体２４を、基板１の取付孔１４に下方から貫通したうえで、このボルト体２４のボルト部２４ａにナット２４ｃを螺合して、ネジ体２の基端と棟木受け体１の基板１１を、回動自在に連結している。
【００４３】
又、図３（ｂ）で示す棟木支持具Ａは、棟木受け体１の基板１１に取付孔１４から連続して一方向に切り欠いた長孔１４ａを形成すると共に、この長孔１４ａを通じて取付孔１４に到達される係止体２５をネジ体２の上端に突設してなる。
【００４４】
この係止体２５は、基板１１の長孔１４ａ及び取付孔１４を貫通可能な首部２５ｂをネジ体２の上端に突設し、この首部２５ｂの上端には、これら基板１１の長孔１４ａ及び取付孔１４に貫通されない係止頭部２５ａを一体形成してなる。
【００４５】
そして、ネジ体２の首部２５ｂを、基板１に設けた長孔１４ａの開放端から挿通して取付孔１４に移動するだけで、係止頭部２５ａが取付孔１４の周縁に係止して、ネジ体２の基端と棟木受け体１の基板１１を、回動自在に連結できる。
【００４６】
そのため、これらの棟木支持具Ａによれば、何れも棟木受け体１とネジ体２を分離させたコンパクトな状態で持ち運ぶことができ、例えば、作業現場等で棟木受け体１とネジ体２を容易に回動自在に連結することができる。
【図面の簡単な説明】
【００４７】
【図１】本発明に係る棟木支持具Ａの一実施例を示す使用状態図である。
【図２】図１で示した棟木支持具Ａの拡大断面図である。
【図３】（ａ）、（ｂ）は、本発明に係る棟木支持具Ａの他の実施例を示す要部の部分斜視図である。
【符号の説明】
【００４８】
Ａ      棟木支持具
Ｍ      棟木
１      棟木受け体
２      ネジ体
２２    ネジ部
２３    把持部
【図１】
2009084971.tif 000003
【図２】
2009084971.tif 000004
【図３】
2009084971.tif 000005
【手続補正書】
【提出日】平成20年6月11日(2008.6.11)
【手続補正１】
【補正対象書類名】明細書
【補正対象項目名】００１０
【補正方法】変更
【補正の内容】
【００１０】
本発明は、かかる課題を解決することを目的とするもので、棟木を架設したままでも棟木受け体の高さ又は方向を調整することができ、棟木の架設作業を容易に行うことのできる棟木支持具を提供する。
【手続補正２】
【補正対象書類名】明細書
【補正対象項目名】００１４
【補正方法】変更
【補正の内容】
【００１４】
又、梁等に固定した複数の棟木支持具の棟木受け体に、棟木を架設する際、任意の棟木受け体の高さ又は方向が不適切であっても、前記棟木を架設したままで、該棟木受け体のネジ体だけを回転操作すれば、任意の棟木受け体だけをネジ込んで、容易に高さ又は方向を調整できる。
【手続補正３】
【補正対象書類名】明細書
【補正対象項目名】００１５
【補正方法】変更
【補正の内容】
【００１５】
そのため、架設された棟木を一々取り外して棟木受け体の高さ又は方向の調整を行う必要がなく、棟木の架設作業を素早く且つ簡単に行うことができる。
【手続補正４】
【補正対象書類名】明細書
【補正対象項目名】００１６
【補正方法】変更
【補正の内容】
【００１６】
請求項２に係る棟木支持具によれば、ネジ体の適所に、該ネジ体を回動するための把持部を形成しているので、棟木を架設したままでも、前記ネジ体の把持部をスパナ等の工具で容易に回動することができ、棟木受け体の高さ又は方向の調整を更に簡単に行うことができる。
【手続補正５】
【補正対象書類名】明細書
【補正対象項目名】００２７
【補正方法】変更
【補正の内容】
【００２７】
このようにして構成した本発明の棟木支持具Ａは、棟に設置された梁等に、棟木受け体１の方向を手で維持しながら、ネジ体２だけを回動させて、該ネジ体２を棟に設置された梁等にネジ込んで固定し、更に、同じ要領で、前記梁の長手方向に向けて適宜間隔をあけて、複数の棟木支持具Ａを同一線状に向けて固定する。
【手続補正６】
【補正対象書類名】明細書
【補正対象項目名】００２８
【補正方法】変更
【補正の内容】
【００２８】
この作業時、棟木支持具Ａを支えるために棟木受け体１を手で持って、ネジ体２を梁にネジ込む際に、棟木受け体１の基板１１を回動自在に連結しているので、作業性が良い。
【手続補正７】
【補正対象書類名】明細書
【補正対象項目名】００３６
【補正方法】変更
【補正の内容】
【００３６】
又、梁等に固定した複数の棟木支持具Ａの棟木受け体１に、棟木Ｍを架設する際、任意の棟木受け体１の高さ又は方向が不適切であっても、棟木Ｍを架設したままで、任意の棟木受け体１のネジ体２だけを回転操作すれば、任意の棟木受け体１だけを容易に高さ又は方向を調整できる。
【手続補正８】
【補正対象書類名】明細書
【補正対象項目名】００３７
【補正方法】変更
【補正の内容】
【００３７】
そのため、架設された棟木Ｍを一々取り外して棟木受け体１の高さ又は方向の調整を行う必要がなく、棟木Ｍの架設作業を素早く且つ簡単に行うことができる。
【手続補正９】
【補正対象書類名】明細書
【補正対象項目名】００３８
【補正方法】変更
【補正の内容】
【００３８】
又、ネジ体２の適所には、該ネジ体２を回動するための把持部２３を形成しているので、棟木Ｍを架設したままでも、この把持部２３をスパナ等の工具で容易に回動することができ、棟木受け体１の高さ又は方向の調整を更に簡単に行うことができるのである。
【手続補正１０】
【補正対象書類名】図面
【補正対象項目名】図２
【補正方法】変更
【補正の内容】
【図２】
2009084971.tif 000006